(57)【特許請求の範囲】
【請求項１】
表示部と、
操作指示が入力される操作部と、
原稿を読み取る原稿読取部と、
前記原稿読取部による読み取りで得られた前記原稿の画像データの送信先の指定を受け付ける指定受付部と、
前記指定受付部により受け付けられた送信先に、前記画像データを送信する送信部と、
過去の送信先毎に、送信データ量に対応付けて送信時間を送信実績として記憶する送信実績記憶部と、
前記原稿読取部による読み取りで得られた前記画像データを、解像度の異なる複数の画像データに変換する画像変換部と、
前記画像変換部により変換された前記画像データを前記指定受付部により受け付けられた送信先に送信する場合の予想送信時間を、前記送信実績記憶部に記憶されている過去の前記送信実績及び前記画像変換部により変換された前記画像データのデータ量に基づいて、前記画像変換部により変換された前記画像データの解像度毎に算出する送信時間算出部と、
前記送信時間算出部により算出された解像度毎の予想送信時間を前記表示部に表示させ、前記操作部に入力される、送信時に使用する解像度の選択指示を受け付ける選択受付部と、
ＯＣＲ処理により文字認識を行い、前記選択受付部により受け付けられた解像度からなる前記画像変換部により変換された前記画像データに、読みづらい文字として予め定められた文字が含まれている場合、当該文字を読みやすくする予め定められた処理を行う処理部とを備え、
前記送信部は、前記選択受付部により受け付けられた解像度からなり、前記処理部により処理が施された、前記画像変換部により変換された前記画像データを、前記指定受付部により受け付けられた送信先に送信する画像送信装置。
【請求項２】
前記処理部は、前記選択受付部により受け付けられた解像度からなる前記画像変換部により変換された前記画像データに、予め定められたサイズよりも小さいサイズの文字が含まれているかを判断し、当該小さいサイズの文字が含まれている場合、当該小さいサイズの文字を拡大する処理を、前記予め定められた処理として行う請求項１に記載の画像送信装置。
【請求項３】
前記処理部は、前記選択受付部により受け付けられた解像度からなる前記画像変換部により変換された前記画像データに、予め定められた画数よりも多い画数の文字が含まれている場合、当該文字を拡大する処理を、前記予め定められた処理として行う請求項１又は請求項２に記載の画像送信装置。
【請求項４】
前記処理部は、前記選択受付部により受け付けられた解像度からなる前記画像変換部により変換された前記画像データに、予め定められた添え字が含まれている場合、当該文字を、当該文字と同義であり、なおかつ当該文字よりも大きい予め定められた文字に置き換える処理を、前記予め定められた処理として行う請求項１乃至請求項３のいずれかに記載の画像送信装置。
【請求項５】
前記処理部は、前記選択受付部により受け付けられた解像度が予め定められた解像度よりも低い場合に前記予め定められた処理を行い、前記選択受付部により受け付けられた解像度が予め定められた解像度以上の場合には前記予め定められた処理を行わない請求項１乃至請求項４のいずれかに記載の画像送信装置。
【発明の詳細な説明】
【技術分野】
【０００１】
本発明は、画像送信装置に関し、特に、画像データを外部に送信するファクシミリ装置等の画像送信装置に関する。
【背景技術】
【０００２】
ファクシミリ装置等の画像送信装置では、送信対象とするデータ量の相違等により送信時間が異なる。下記特許文献１，２には、ファクシミリ装置において、画像データを外部に送信する送信時間を算出して表示することが記載されている。また、下記特許文献３，４には、送信する画像データに対する圧縮率や解像度毎の送信時間を算出し、圧縮率や解像度毎の予想送信時間をユーザーに報知し、送信する際の圧縮率や解像度をユーザーに選択させることが記載されている。
【先行技術文献】
【特許文献】
【０００３】
【特許文献１】特開平０５−３４４２６５号公報
【特許文献２】特開２００１−２４５１２７号公報
【特許文献３】特開２００２−３６９０５３号公報
【特許文献４】特開２００６−０１４１９４号公報
【発明の概要】
【発明が解決しようとする課題】
【０００４】
送信時間は通信料金に関わる要素であるため、画像データの送信を行う時間帯や通信料金を勘案して、ユーザーは適当な解像度を選択することができれば、送信時間を短縮し、通信コストを抑えることができる。しかしながら、送信する画像の解像度を低くしすぎると、送信時間を短縮できる反面、小さい文字や画数の多い文字などが読みづらくなり、解読不能になるおそれもある。
【０００５】
本発明は、上記の事情に鑑みなされたものであり、送信対象とする画像の解像度を下げた場合であっても、文字が読み難くなる事態を低減することを目的とする。
【課題を解決するための手段】
【０００６】
本発明の一局面に係る画像送信装置は、表示部と、
操作指示が入力される操作部と、
原稿を読み取る原稿読取部と、
前記原稿読取部による読み取りで得られた前記原稿の画像データの送信先の指定を受け付ける指定受付部と、
前記指定受付部により受け付けられた送信先に、前記画像データを送信する送信部と、
過去の送信先毎に、送信データ量に対応付けて送信時間を送信実績として記憶する送信実績記憶部と、
前記原稿読取部による読み取りで得られた前記画像データを、解像度の異なる複数の画像データに変換する画像変換部と、
前記画像変換部により変換された前記画像データを前記指定受付部により受け付けられた送信先に送信する場合の予想送信時間を、前記送信実績記憶部に記憶されている過去の前記送信実績及び前記変換された画像データのデータ量に基づいて、前記変換された画像データの解像度毎に算出する送信時間算出部と、
前記送信時間算出部により算出された解像度毎の予想送信時間を前記表示部に表示させ、前記操作部に入力される、送信時に使用する解像度の選択指示を受け付ける選択受付部と、
ＯＣＲ処理により文字認識を行い、前記画像データに、読みづらい文字として予め定められた文字が含まれている場合、当該文字を読みやすくする予め定められた処理を行う処理部とを備え、
前記送信部は、前記選択受付部により受け付けられた解像度に変換された画像データであって、前記処理部により処理が施された画像データを、前記指定受付部により受け付けられた送信先に送信するものである。
【発明の効果】
【０００７】
本発明によれば、送信時間短縮のために送信対象とする画像の解像度を下げても、解像度低下に伴う文字認識性の低下を回避することが可能になる。
【図面の簡単な説明】
【０００８】
【図１】本発明の第１実施形態に係る画像送信装置としての画像形成装置の主要内部構成を概略的に示した機能ブロック図である。
【図２】送信実績記憶部に記憶されるデータ構成の一例を示した図である。
【図３】送信データ量と送信時間との関係を示した図である。
【図４】表示部に表示される表示画面の一例を示した図である。
【図５】制御ユニットにおける処理動作の一例を示したフローチャートである。
【図６】制御ユニットにおける処理動作の一例を示したフローチャートである。
【図７】画像データに対する処理前と処理後のドキュメントの一例を説明するための説明図である。
【図８】画像データに対する処理前と処理後のドキュメントの一例を説明するための説明図である。
【図９】画像データに対する処理前と処理後のドキュメントの一例を説明するための説明図である。
【発明を実施するための形態】
【０００９】
以下、本発明の一実施形態に係る画像送信装置について図面を参照して説明する。図１は、本発明の第１実施形態に係る画像送信装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、操作部４７、ファクシミリ通信部７１、及びネットワークインターフェイス部９１を含んで構成されている。
【００１０】
原稿給送部６は、読取対象の原稿を原稿読取部５へ給送する。
【００１１】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。一般的に、原稿からの画像読み取りは、画像形成装置１における読み取り可能最高解像度（例えば、600dpi×600dpi）で行われる。
【００１２】
画像形成部１２は、印刷すべき画像のトナー像を用紙上に形成する。
【００１３】
画像メモリー３２は、原稿読取部５による読み取りで得られた原稿の画像データを一時的に記憶したり、画像形成部１２のプリント対象となるデータを一時的に保存したりするための領域である。
【００１４】
ＨＤＤ９２は、原稿読取部５によって読み取られた原稿画像等を記憶する大容量の記憶装置である。
【００１５】
定着部１３は、用紙上のトナー像を、熱圧着により用紙に定着させる。
【００１６】
操作部４７は、画像形成装置１が実行可能な各種動作及び処理についてユーザーから画像形成動作実行指示や原稿読取動作実行指示等の指示を受け付ける。操作部４７は、ユーザーへの操作案内等を表示する表示部４７３を備えている。表示部４７３はタッチパネルになっており、ユーザーは画面表示されるボタンやキーに触れて画像形成装置１を操作することができる。
【００１７】
ファクシミリ通信部７１は、図示しない符号化・複合化部、変復調部、及びＮＣＵ等を備え、公衆電話回線網を用いてのファクシミリの通信を行うものである。
【００１８】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター等の外部装置２０と種々のデータの送受信を行うものである。
【００１９】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、指定受付部１０１と、画像変換部１０２、送信時間算出部１０３と、選択受付部１０４と、処理部１０５と、送信部１０６と、送信実績記憶部１０７と、を備えている。
【００２０】
制御ユニット１０は、ＨＤＤ９２にインストールされている制御プログラムに従った動作により、制御部１００、指定受付部１０１、画像変換部１０２、送信時間算出部１０３、選択受付部１０４、処理部１０５、送信部１０６、及び送信実績記憶部１０７として機能するものである。但し、制御部１００等は、制御ユニット１０による制御プログラムに従った動作によらず、それぞれハードウェア回路により構成することも可能である。以下、特に触れない限り、各実施形態について同様である。
【００２１】
制御部１００は、原稿搬送部６、画像読取部５、画像形成部１２、画像メモリー３２、ＨＤＤ９２、定着部１３、操作部４７、ファクシミリ通信部７１、及びネットワークインターフェイス部９１と接続され、これら各部の駆動制御を行う。
【００２２】
送信実績記憶部１０７は、ファクシミリ通信部７１を介してファクシミリ送信が行われた過去の送信先（例えば、送信先の電話番号）毎に、送信データ量に対応付けて送信時間を送信実績として記憶する。また、送信実績記憶部１０７は、当該送信実績から算出される送信データ量と送信時間との関係式を記憶する。
【００２３】
図２は、送信実績記憶部１０７に記憶されるデータ構成の一例を示した図であり、送信先毎に、送信実績（送信データ量及び送信時間）と、送信実績から求められる予想送信時間と送信データ量との関係式が記憶されている。
【００２４】
指定受付部１０１は、ユーザーにより操作部４７に入力される、原稿読取部５による読み取りで得られた画像データの送信先の指定を受け付ける。
【００２５】
画像変換部１０２は、原稿読取部５による読み取りで得られた画像データを、解像度の異なる複数の画像データに変換する。例えば、原稿読取部５は、原稿を、読取可能な最高解像度である例えば600dpi×600dpiで読み取る。画像変換部１０２は、600dpi×600dpi、400dpi×400dpi、200dpi×400dpi、200dpi×200dpi、200dpi×100dpiの５通りの解像度に、上記最高解像度で読み取られた原稿の画像データを変換する。
【００２６】
送信時間算出部１０３は、送信実績記憶部１０７に記憶されている複数の送信実績に基づいて、最小自乗法を用いて、予想送信時間と送信データ量との関係式を算出し、送信実績記憶部１０７に記憶される関係式を随時更新する。例えば、図３に示すように、図中の黒丸が過去の送信実績である場合、直線Ｌ１が最小自乗法を用いて求められる予想送信時間と送信データ量との関係式となる。
【００２７】
また、送信時間算出部１０３は、画像変換部１０２により変換された画像データを指定受付部１０１により受け付けられた送信先に送信する場合の予想送信時間を、送信実績記憶部１０７に記憶されている関係式及び当該画像データのデータ量に基づいて、画像データの解像度毎に算出する。
【００２８】
例えば、解像度600dpi×600dpi、400dpi×400dpi、200dpi×400dpi、200dpi×200dpi、200dpi×100dpiで画像変換された画像データのデータ量がそれぞれ5400byte、2400byte、1200byte、600byte、300byteであり、指定された送信先が「03−XXXX−XXXX」で、関係式が「予想送信時間＝０．０２×送信データ量＋１０」（図２）である場合、解像度毎の予想送信時間はそれぞれ１１８秒、５８秒、３１秒、２２秒、１６秒と算出される。
【００２９】
選択受付部１０４は、送信時間算出部１０３により算出された解像度毎の予想送信時間を表示部４７３に表示することによってユーザーに報知し、ユーザーにより操作部４７に入力される、送信時に使用する解像度の選択を受け付ける。
【００３０】
図４は、解像度毎の予想送信時間が操作部４７の一部としての表示部４７３に表示された一例を示した図であり、Ｂ１〜Ｂ５はボタンスイッチになっており、ユーザーはボタンスイッチＢ１〜Ｂ５のいずれかを選択することによって、送信時の解像度を選択することができる。
【００３１】
処理部１０５は、原稿読取部５による読み取りで得られた画像データのドキュメントに、ＯＣＲ（Optical character recognition）処理を利用して、ユーザーにとって読みづらいとして、予め定められた文字が含まれているか否かを判定する。処理部１０５は、当該予め定められた文字が含まれていると判定した場合に、当該文字を読みやすくするための予め定められた処理を行う。
【００３２】
例えば、予め定められたサイズ（１０ポイント）よりも小さいサイズの文字（上記予め定められた文字の一例）が含まれている場合、処理部１０５は、当該文字を１０．５ポイントに拡大する処理を上記予め定められた処理として行う。また、予め定められた画数（１６画数）よりも多い画数の文字（上記予め定められた文字の一例）が含まれている場合、処理部１０５は、当該文字を拡大する処理を上記予め定められた処理として行う。
【００３３】
また、予め定められた添え字（例えば、指数）が含まれている場合、処理部１０５は、上記予め定められた文字としての当該文字を、当該文字と同義であり当該文字よりも大きい文字に置き換える処理を上記予め定められた処理として行う。２乗や３乗という冪演算は底と呼ばれる文字と冪指数と呼ばれる文字からなり、冪指数は底の右肩につく上付き文字によって示される。例えば、Ａのｎ乗は底と呼ばれる「Ａ」と「Ａ」の右肩につく上付き文字「ｎ」からなる。
【００３４】
処理部１０５は、冪指数が含まれていると判定した場合、冪指数（底の右肩につく上付き文字「ｎ」）をキャレット「＾」を使って、上付き文字「ｎ」よりもサイズの大きい「Ａ」と同じサイズの２文字からなる「＾ｎ」に置き換える。
【００３５】
送信部１０６は、選択受付部１０４により受け付けられた解像度に変換され、処理部１０５により上記予め定められた処理が行われた画像データを、ファクシミリ通信部７１を介して、指定受付部１０１により受け付けられた送信先に送信する。
【００３６】
次に、制御ユニット１０で行われる処理動作の一例について、図５に示したフローチャートに基づいて説明する。なお、この処理動作は、指定受付部１０１が、操作部４７を介して、原稿読取部５による読み取りで得られた画像データの送信先の指定を受け付けた場合に行われる動作である。
【００３７】
まず、画像変換部１０２が、原稿読取部５による読み取りで得られた画像データを、解像度の異なる複数の画像データに変換して作成し、作成した画像データを画像メモリー３２に保存し（Ｓ１）、送信時間算出部１０３が、画像変換部１０２により変換された画像データを指定受付部１０１により受け付けられた送信先に送信する場合の予想送信時間を、送信実績記憶部１０７に記憶されている関係式及び当該画像データのデータ量に基づいて、画像データの解像度毎に算出する（Ｓ２）。
【００３８】
次に、選択受付部１０４が、送信時間算出部１０３により算出された解像度毎の予想送信時間を、図４に示したように、表示部４７３に表示することによってユーザーに提示し、操作部４７を介して行われる、送信時に使用する解像度Ｒの選択を受け付ける（Ｓ３）。
【００３９】
次に、処理部１０５が、選択受付部１０４により受け付けられた解像度Ｒが予め定められた解像度Ｒ１（例えば、200dpi×400dpi）よりも低いか否かを判断する（Ｓ４）。
【００４０】
処理部１０５が、選択受付部１０４により受け付けられた解像度Ｒが解像度Ｒ１よりも低いと判断すれば（Ｓ４でＹＥＳ）、処理部１０５は、Ｓ１で作成した各解像度からなる画像データのうち、選択受付部１０４により受け付けられた解像度Ｒの画像データに対して、読みづらい文字を読みやすくする「文字処理」（後述。図６参照）を行う（Ｓ５）。
【００４１】
処理部１０５による「文字処理」後、送信部１０６は、選択受付部１０４により受け付けられた解像度Ｒに変換され、処理部１０５により処理が施された画像データを、ファクシミリ通信部７１を介して、指定受付部１０１により受け付けられた送信先に送信する（Ｓ６）。
【００４２】
一方、処理部１０５は、選択受付部１０４により受け付けられた解像度Ｒが解像度Ｒ１以上と判断したときは（Ｓ４でＮＯ）、上記予め定められた処理を行わず、送信部１０６は、Ｓ１で作成した各解像度からなる画像データのうち、選択受付部１０４により受け付けられた解像度Ｒに変換された画像データを、ファクシミリ通信部７１を介して、指定受付部１０１により受け付けられた送信先に送信する（Ｓ６）。
【００４３】
次に、図５に示したＳ５で行われる「文字処理」について、図６に示したフローチャートを使って説明する。
【００４４】
まず、処理部１０５は、原稿読取部５による読み取りで得られた画像データＧ（ドキュメントＤ）に、ＯＣＲ処理を利用して、予め定められたサイズＰ１（例えば、１０ポイント）よりも小さいサイズの文字が含まれているか否かを判断する（Ｓ１１）。
【００４５】
処理部１０５が、画像データＧに、サイズＰ１よりも小さいサイズの文字が含まれていると判断すれば（Ｓ１１でＹＥＳ）、処理部１０５が、画像変換部１０２により解像度Ｒ（選択受付部１０４により受け付けられた解像度）に変換された画像データＧａに対して、当該文字をサイズＰａ（例えば、１０．５ポイント）に拡大する処理を上記予め定められた処理として行い（Ｓ１２）、その後、Ｓ１３へ進む。
【００４６】
例えば、図７に示すように、画像データＧのドキュメントＤ（図中左）に「あいうえお」、「かきくけこ」、「さしすせそ」、「たちつてと」、「なにぬねの」の文字列が含まれ、それぞれの文字列のサイズが１２ポイント、１１ポイント、８ポイント、７ポイント、１４ポイントである場合、サイズが１０ポイントよりも小さい８ポイントの「さしすせそ」及び７ポイントの「たちつてと」の文字列を１０．５ポイントに拡大する処理が施される。
【００４７】
このように、拡大処理された画像データＧａであるドキュメントＤａを、図７の右側に示す。但し、拡大できる領域は画像データＧａにおける地色の領域のみとされている。処理部１０５は、処理対象とされる文字を拡大した時に他の文字等と重なるか否か、すなわち、処理対象とされる文字に地色以外の画素領域があるかを判断し、他の文字等と重なる、すなわち、処理対象とされる文字に地色以外の画素領域があると判断した場合は拡大処理を行わない。又は、処理部１０５は、他の文字等と重ならない範囲（地色以外の画素領域がない範囲）で拡大処理を行う。
【００４８】
一方、Ｓ１１において、処理部１０５が、画像データＧのドキュメントＤに、サイズＰ１よりも小さいサイズの文字が含まれていないと判断すれば（Ｓ１１でＮＯ）、そのままＳ１３へ進む。
【００４９】
Ｓ１３では、処理部１０５が、ＯＣＲ処理を利用して、画像データＧのドキュメントＤに、予め定められた画数Ｃ１（例えば、１６画）よりも多い文字が含まれているか否かを判断する（Ｓ１３）。
【００５０】
処理部１０５が、画像データＧ（ドキュメントＤ）に、画数Ｃ１よりも画数の多い文字が含まれていると判断したときは（Ｓ１３でＹＥＳ）、画数Ｃ１よりも画数の多い文字の中に、ＯＣＲ処理を利用して、予め定められたサイズＰ２（例えば、１０．５ポイント）よりも小さい文字が含まれているか否かを判断する（Ｓ１４）。
【００５１】
処理部１０５が、画像データＧ（ドキュメントＤ）に、画数Ｃ１よりも画数が多く、サイズＰ２よりも小さいサイズの文字が含まれていると判断すれば（Ｓ１４でＹＥＳ）、処理部１０５が、画像変換部１０２により（選択受付部１０４により受け付けられた）解像度Ｒに変換された画像データＧａに対して、当該文字をサイズＰｂ（例えば、１０．５ポイント）に拡大する処理を行い（Ｓ１５）、その後、Ｓ１６へ進む。
【００５２】
例えば、図８に示すように、画像データＧのドキュメントＤ（図中左）に「赤坂」、「虎ノ門」、「西新橋」、「霞が関」の文字列が含まれ、それぞれの文字列のサイズが１０ポイントである場合、画数が１６画よりも多く、サイズが１０．５ポイントよりも小さい「霞」（１７画で１０ポイント）の文字を１０．５ポイントに拡大する処理が施される。
【００５３】
このように拡大処理された画像データＧａ（ドキュメントＤａ）を図８右側に示す。但し、Ｓ１２による処理の場合と同様に、拡大できる領域は地色の範囲であり、処理部１０５は、文字を拡大した時に他の文字等と重なるか否かを判断し、他の文字等と重なると判断した場合は拡大処理を行わない。または、処理部１０５は、他の文字等と重ならない範囲で拡大処理を行う。
【００５４】
一方、Ｓ１３において、処理部１０５が、画像データＧのドキュメントＤに、画数Ｃ１よりも画数の多い文字は含まれていないと判断した場合（Ｓ１３でＮＯ）や、Ｓ１４において、処理部１０５が、画数Ｃ１よりも画数が多く、サイズＰ２よりも小さいサイズの文字は含まれていないと判断した場合（Ｓ１４でＮＯ）は、Ｓ１５の処理は行われず、そのままＳ１６へ進む。
【００５５】
Ｓ１６では、処理部１０５が、ＯＣＲ処理を利用して、画像データＧ（ドキュメントＤ）に、予め定められた添え字（例えば、冪指数）が含まれているか否かを判断する（Ｓ１６）。
【００５６】
処理部１０５が、画像データＧのドキュメントＤに、冪指数が含まれていると判断すれば（Ｓ１６でＹＥＳ）、処理部１０５が、ＯＣＲ処理を利用して、冪指数に対する底文字の中に、予め定められたサイズＰ３（例えば、１２ポイント）よりも小さい文字が含まれているか否かを判断する（Ｓ１７）。
【００５７】
処理部１０５が、画像データＧのドキュメントＤに、冪指数に対する底文字の中に、サイズＰ３よりも小さいサイズの文字が含まれていると判断すれば（Ｓ１７でＹＥＳ）、処理部１０５が、画像変換部１０２により上記解像度Ｒに変換された画像データＧａに対して、当該底文字に対する冪指数をキャレット「＾」を使って置き換える処理を行う（Ｓ１８）。この後、処理は図５のＳ６に進む。
【００５８】
例えば、図９の左側に示すように、画像データＧ（ドキュメントＤ）に「ｘ＋ｙ」、「ｘ2＋ｙ」の文字列が含まれ、それぞれの文字列のサイズが１１ポイントである場合、底文字「ｘ」のサイズが１２ポイントよりも小さい冪指数「２」の文字を「＾２」に置き換える処理が処理部１０５により行われる。
【００５９】
このように置き換え処理が行われた画像データＧａ（ドキュメントＤａ）を図９の右側に示す。但し、Ｓ１２による処理の場合と同様に、置き換えできる領域は地色の範囲であり、処理部１０５は、文字を置き換えた時に他の文字等と重なるか否かを判断し、他の文字等と重なると判断した場合は置き換え処理を行わない。または、処理部１０５は、他の文字等と重ならない範囲で置き換え処理を行う。
【００６０】
一方、Ｓ１６において、処理部１０５が、画像データＧのドキュメントＤに、冪指数が含まれていないと判断した場合や（Ｓ１６でＮＯ）、Ｓ１７において、処理部１０５が、冪指数に対する底文字の中に、サイズＰ３よりも小さいサイズの文字が含まれていないと判断した場合（Ｓ１７でＮＯ）は、Ｓ１８の処理は行われず、処理は図５のＳ６に移る。
【００６１】
上記実施形態によれば、ユーザーは、画像形成装置１によるデータ送信時間（ファクシミリ通信時間）を短縮するために、送信対象とする画像の解像度を低く設定した場合であっても、当該送信対象とする画像に含まれる、小さい文字又は画数の多い文字等が読み難くなることがなく、解読不能になるおそれを低減できる。すなわち、上記実施形態によれば、送信対象とする画像の解像度を下げた場合であっても、文字が読み難くなる事態を低減することができる。
【００６２】
また、上記実施形態では、ユーザーにより選択された解像度Ｒが予め定められた解像度Ｒ１以上である場合（文字が読みにくくなるおそれが低い場合）は、拡大や置き換えの処理は行われない。これにより、必要以上に上記予め定められた処理が行われることもない。
【００６３】
本発明は上記実施の形態の構成に限られず種々の変形が可能である。また、上記実施形態では、本発明に係る画像送信装置の一実施形態として画像形成装置の複合機を用いて説明しているが、これは一例に過ぎず、他の電子機器、例えば、ファクシミリ機能を有した他の画像形成装置でもよい。
【００６４】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６５】
１          画像形成装置
５          画像読取部
１０        制御ユニット
４７        操作部
７１        ファクシミリ通信部
１００      制御部
１０１      指定受付部
１０２      画像変換部
１０３      送信時間算出部
１０４      選択受付部
１０５      処理部
１０６      送信部
１０７      送信実績記憶部
【図１】
0006418180.tif 000002
【図２】
0006418180.tif 000003
【図３】
0006418180.tif 000004
【図４】
0006418180.tif 000005
【図５】
0006418180.tif 000006
【図６】
0006418180.tif 000007
【図７】
0006418180.tif 000008
【図８】
0006418180.tif 000009
【図９】
0006418180.tif 000010